(57)【要約】  本発明の実施形態に係る、外部装置と締結されればブートされるバッテリーパックは、前記外部装置とバッテリーパックとを繋ぎ合わせる部材であるコネクター及び前記バッテリーパックと外部装置とが締結されれば、バッテリーパックを起動するブート回路を備えてなり、前記コネクターは、前記バッテリーパックの（＋）出力端と接続される（＋）出力端子、前記外部装置とバッテリーパックとの締結有無を確認する締結確認端子、前記外部装置とバッテリーパックとの間でデータを送受信するデータ送受信端子、バッテリーパックの（−）出力端と接続される（−）出力端子を備えてなってもよい。
2020526883.tif 000002
【特許請求の範囲】
【請求項１】
外部装置と締結されればブートされるバッテリーパックであって、
前記バッテリーパックは、
前記外部装置と前記バッテリーパックとを繋ぎ合わせる部材であるコネクターと、
前記バッテリーパックと前記外部装置とが締結されれば、前記バッテリーパックを起動するブート回路と、
を備えてなり、
前記コネクターは、
前記バッテリーパックの（＋）出力端と接続される（＋）出力端子と、
前記外部装置と前記バッテリーパックとの締結有無を確認する締結確認端子と、
前記外部装置と前記バッテリーパックとの間でデータを送受信するデータ送受信端子と、
前記バッテリーパックの（−）出力端と接続される（−）出力端子と、
を備えてなることを特徴とするバッテリーパック。
【請求項２】
前記バッテリーパックは、
複数のバッテリーセルと、
前記複数のセルを制御するマイクロコントローラユニット（ＭＣＵ）と、
前記マイクロコントローラユニット（ＭＣＵ）と前記複数のバッテリーセルとの間のインタフェースを制御するアナログフロントエンド（ＡＦＥ）と、
をさらに備えてなり、
前記ブート回路は、前記アナログフロントエンド（ＡＦＥ）と前記締結確認端子との間に配備され、
前記バッテリーパックと前記外部装置とが締結されれば、前記バッテリーパックの（＋）出力端子の出力が前記外部装置を介して前記締結確認端子に入力されてシャットダウンされている前記アナログフロントエンド（ＡＦＥ）をブートさせることを特徴とする請求項１に記載のバッテリーパック。
【請求項３】
前記ブート回路は、
前記外部装置と接続されるシステム入力端と、
前記バッテリーパックの電圧を分配する電圧分配回路と、
を備えてなることを特徴とする請求項２に記載のバッテリーパック。
【請求項４】
前記ブート回路は、
前記電圧分配回路において生成されたシステムウェイク信号でシャットダウンされている前記アナログフロントエンド（ＡＦＥ）をブートさせた後、
前記ブート回路のシステム入力端のステータス情報である締結状態確認情報を前記マイクロコントローラユニット（ＭＣＵ）に伝送して、前記バッテリーパックと前記外部装置との締結有無を報知することを特徴とする請求項３に記載のバッテリーパック。
【請求項５】
前記アナログフロントエンド（ＡＦＥ）は、
２次保護モジュールと、
ショート感知モジュールと、
セルの電流、電圧及び温度を測定する電流、電圧及び温度測定モジュールと、
複数のセルの充電量を均等に調節するセルバランスモジュールと、
前記マイクロコントローラユニット（ＭＣＵ）と通信するＩ２Ｃ通信モジュールと、
を備えてなり、
前記アナログフロントエンド（ＡＦＥ）は、
アナログフロントエンド（ＡＦＥ）がブートされれば、前記マイクロコントローラユニット（ＭＣＵ）に電源を供給して、前記マイクロコントローラユニット（ＭＣＵ）をウェイクアップさせ、
前記マイクロコントローラユニット（ＭＣＵ）からシャットダウン指令を受信すれば、シャットダウンされることを特徴とする請求項２に記載のバッテリーパック。
【請求項６】
前記マイクロコントローラユニット（ＭＣＵ）は、
電流、電圧及び温度を制御する電流、電圧及び温度制御モジュールと、
前記電流、電圧及び温度に基づいて、バッテリーの過充電及び過放電を保護する保護モジュールと、
前記バッテリーパックの電界効果トランジスター（ＦＥＴ）を制御する電界効果トランジスター（ＦＥＴ）制御モジュールと、
前記複数のセルのバランスを制御するバランス制御モジュールと、
を備えてなり、
前記ブート回路において受信された締結状態確認情報が締結状態であるときには、前記マイクロコントローラユニット（ＭＣＵ）は、前記アナログフロントエンド（ＡＦＥ）を介して電源を供給されて動作し、
前記ブート回路において受信された締結状態確認情報が締結解放状態であるときには、シャットダウン進入信号を生成して前記マイクロコントローラユニット（ＭＣＵ）をシャットダウンさせ、シャットダウン信号を前記アナログフロントエンド（ＡＦＥ）に伝送することを特徴とする請求項４に記載のバッテリーパック。
【請求項７】
請求項１から６のいずれか一項に記載のバッテリーパックが締結される外部装置である電子装置であって、
前記電子装置は、前記バッテリーパックと前記外部装置とを締結するバッテリー締結部を備えてなり、
前記バッテリー締結部は、コネクターの（＋）出力端子と締結確認端子との間に電流経路を形成する伝導性部材を備えてなることを特徴とする電子装置。
【請求項８】
前記伝導性部材は、所定の抵抗値を有し、
前記バッテリーパックは、前記所定の抵抗値に基づいて、前記バッテリーパックに接続された前記外部装置の種類を認識することを特徴とする請求項７に記載の電子装置。
【請求項９】
請求項１から６のいずれか一項に記載のバッテリーパックを備えてなることを特徴とする電子デバイス。
【請求項１０】
前記電子デバイスは、携帯電話、タブレットＰＣ、ノート型パソコン、パワーツール、ウェアラブル電子機器、電気自動車、ハイブリッド電気自動車、プラグインハイブリッド電気自動車及び電力蓄積装置よりなる群から選ばれるいずれか一種であることを特徴とする請求項９に記載の電子デバイス。
【発明の詳細な説明】
【技術分野】
【０００１】
本発明は、バッテリーパックが外部装置と締結されれば、バッテリーパックをブートさせる機能を備えたバッテリーパックに関する。
【背景技術】
【０００２】
近年、高エネルギー密度の非水電解液を用いた高出力二次電池が開発されている。電気自動車などのようにモーターの駆動のための強力な電力を必要とする機器に使用できるように、複数の高出力二次電池を直列に接続して大容量の二次電池を構成する。
【０００３】
このように、一つの大容量二次電池（以下、「バッテリー」と称する。）は、通常、直列に接続される複数のバッテリーからなる。このために、バッテリーに対する状態を全般的にモニターリングし且つ制御する制御部が配備される。前記制御部は、バッテリーの電圧、電流、温度などをモニターリングしてバッテリーの残存容量（ＳＯＣ：Ｓｔａｔｅ  Ｏｆ  Ｃｈａｒｇｅ）を演算により推定し、バッテリーを制御する。
【０００４】
一方、このような制御部は、バッテリーが放電状態または充電状態である場合は動作するが、バッテリーが放電状態または充電状態ではない場合は制御部が電力を消費するため、制御部をオフにして消費電力を減らす必要がある。
【０００５】
このように、バッテリーが放電状態または充電状態ではない場合、制御部の消費電力を減らすために、従来には、制御部をスリープモードで動作させてバッテリーが外部装置と締結されたか否かを確認し続けていた。
【０００６】
しかし、スリープモードで動作する制御部を長時間放置する場合は、バッテリーの放電が起こる虞がある。
【０００７】
したがって、本発明においては、バッテリーが外部装置と締結されなかった場合は、バッテリーをシャットダウン（ｓｈｕｔｄｏｗｎ）モードまたはパワーダウン（ｐｏｗｅｒｄｏｗｎ）モードに進入させ、バッテリーが外部装置と締結されれば、シャットダウンモードまたはパワーダウンモードを解除するバッテリーパックを提案する。
【発明の概要】
【発明が解決しようとする課題】
【０００８】
本発明は、バッテリーパックが外部装置と締結される場合に限って動作するバッテリーパックを提供する。
【課題を解決するための手段】
【０００９】
本発明の実施形態に係る、外部装置と締結されればブート（ｂｏｏｔｉｎｇ）されるバッテリーパックは、前記外部装置とバッテリーパックとを繋ぎ合わせる部材であるコネクター及び前記バッテリーパックと外部装置が締結されれば、バッテリーパックを起動するブート回路を備えてなり、前記コネクターは、前記バッテリーパックの（＋）出力端と接続される（＋）出力端子、前記外部装置とバッテリーパックとの締結有無を確認する締結確認端子、前記外部装置とバッテリーパックとの間でデータを送受信するデータ送受信端子、バッテリーパックの（−）出力端と接続される（−）出力端子を備えてなってもよい。
【００１０】
一方、前記バッテリーパックは、複数のバッテリーセル、前記複数のセルを制御するマイクロコントローラユニット（ＭＣＵ：Ｍｉｃｒｏ  Ｃｏｎｔｒｏｌｌｅｒ  Ｕｎｉｔ）、前記マイクロコントローラユニット（ＭＣＵ）と前記複数のバッテリーセルとの間のインタフェースを制御するアナログフロントエンド（ＡＦＥ：Ａｎａｌｏｇ  Ｆｒｏｎｔ  Ｅｎｄ）をさらに備えてなり、前記ブート回路は、前記アナログフロントエンド（ＡＦＥ）と締結確認端子との間に配備され、前記バッテリーパックと外部装置とが締結されれば、前記バッテリーパックの（＋）出力端子の出力が前記外部装置を介して前記締結確認端子に入力されて、シャットダウンされているアナログフロントエンド（ＡＦＥ）をブートさせてもよい。
【００１１】
一方、前記ブート回路は、前記バッテリーパックの電圧を分配する電圧分配回路を備えてなってもよい。
【００１２】
一方、前記ブート回路は、シャットダウンされているアナログフロントエンド（ＡＦＥ）をブート（ｂｏｏｔｉｎｇ）させた後、前記マイクロコントローラユニット（ＭＣＵ）にバッテリーパックと外部装置との締結有無を報知する締結状態確認情報を伝送してもよい。
【００１３】
一方、前記アナログフロントエンド（ＡＦＥ）は、２次保護モジュール、ショート（ｓｈｏｒｔ）感知モジュール、セルの電流、電圧及び温度を測定する電流、電圧及び温度測定モジュール、複数のセルの充電量を均等に調節するセルバランスモジュール、前記マイクロコントローラユニット（ＭＣＵ）と通信するＩ２Ｃ通信モジュールを備えてなり、前記アナログフロントエンド（ＡＦＥ）は、前記マイクロコントローラユニット（ＭＣＵ）からシャットダウン指令を受信すれば、シャットダウンされてもよい。
【００１４】
一方、前記マイクロコントローラユニット（ＭＣＵ）は、電流、電圧及び温度を制御する電流、電圧及び温度制御モジュール、前記電流、電圧及び温度に基づいて、バッテリーの過充電及び過放電を保護する保護モジュール、バッテリーパックの電界効果トランジスター（ＦＥＴ：Ｆｉｅｌｄ  Ｅｆｆｅｃｔ  Ｔｒａｎｓｉｓｔｏｒ）を制御する電界効果トランジスター（ＦＥＴ）制御モジュール、前記複数のセルのバランスを制御するバランス制御モジュールを備えてなり、前記ブート回路において受信された締結状態確認情報が締結状態であるときには、前記アナログフロントエンド（ＡＦＥ）を介して電源を供給されて動作し、前記ブート回路において受信された締結状態確認情報が締結解放状態であるときには、シャットダウン進入信号を生成してマイクロコントローラユニット（ＭＣＵ）をシャットダウンさせ、シャットダウン信号を前記アナログフロントエンド（ＡＦＥ）に伝送してもよい。
【００１５】
一方、本発明の実施形態に係るバッテリーパックが締結される外部装置は、前記バッテリーパックと外部装置とを締結するバッテリー締結部を備えてなり、前記バッテリー締結部は、前記コネクターの（＋）出力端子と締結確認端子との間に電流経路を形成する伝導性部材を備えてなってもよい。
【００１６】
一方、前記伝導性部材は、所定の抵抗値を有し、前記バッテリーパックは、前記所定の抵抗値に基づいて、前記バッテリーパックに接続された外部装置の種類を認識してもよい。
【発明の効果】
【００１７】
本発明は、バッテリーパックが外部装置と締結される場合に限って動作するので、電力の消耗がほとんどないことから、たとえ長時間に亘ってバッテリーパックを保管するとしても、バッテリーパックが放電されて低電圧になるという問題が発生しない。
【図面の簡単な説明】
【００１８】
【図１】本発明の実施形態に係るバッテリーパックの概略構成図である。
【図２】本発明の実施形態に係るバッテリーパックのより具体的な構成図である。
【図３】本発明の実施形態に係る電圧分配回路の例示図である。
【発明を実施するための形態】
【００１９】
以下、添付図面に基づいて、本発明が属する技術分野において通常の知識を有する者が容易に実施できるように本発明の実施形態について詳しく説明する。しかしながら、本発明は以下に開示される実施形態に何ら限定されるものではなく、異なる様々な形態に具体化される。なお、図中、本発明を明確に説明するために、説明とは無関係な部分は省略し、明細書の全般に亘って、類似の部分には類似の図面符号を付している。
【００２０】
また、「第１の」、「第２の」など序数を含む言い回しは、様々な構成要素を説明するうえで使用可能であるが、前記構成要素は、前記言い回しによって何等限定されない。前記言い回しは、ある構成要素を他の構成要素から区別する目的でのみ使いられる。例えば、本発明の権利範囲を逸脱せずに、第１の構成要素は第２の構成要素と命名されてもよく、同様に、第２の構成要素もまた第１の構成要素と命名されてもよい。本出願において用いた用語は、単に特定の実施形態を説明するために用いられたものであり、本発明を限定しようとする意図はない。単数の表現は、文脈からみて明らかに他の意味を有さない限り、複数の言い回しを含む。
【００２１】
明細書の全般に亘って、ある部分が他の部分と「連結」されているとか、「接続」されているとか、と言及された場合、前記ある部分が前記他の部分に直接的に連結されたり接続されたりする場合だけではなく、これらの間に他の素子を間に挟んで電気的に連結されたり接続されたりする場合も含む。なお、ある部分がある構成要素を「備える」としたとき、これは、特に断りのない限り、他の構成要素を除外するわけではなく、他の構成要素をさらに備えていてもよいことを意味する。本願の明細書の全般に亘って用いられる度合いの言い回しである「〜（する）ステップ」又は「〜のステップ」は、「〜のためのステップ」を意味するものではない。
【００２２】
本発明において用いられる用語としては、本発明における機能を考慮したうえで、できる限り現在汎用されている通常の用語を選択したが、これは、当分野に携わっている技術者の意図又は判例、新たな技術の出現などに応じて異なる。なお、特定の場合、出願人が任意に選定した用語もあり、この場合、対応する発明の説明の部分において詳しくその意味を記載する。したがって、本発明において用いられる用語は、単なる用語の名称ではなく、その用語が有する意味と本発明の全般に亘たっての内容に基づいて定義されるべきである。
【００２３】
１．外部装置と接続される、自動的に起動されるバッテリーパック。
図１は、本発明の実施形態に係るバッテリーパックの構成を簡略に示す図である。
【００２４】
図２は、本発明の実施形態に係るバッテリーパックの細部構成を詳しく示す図である。
【００２５】
以下では、図１及び図２に基づいて、本発明の実施形態に係るバッテリーパックを説明する。
【００２６】
本発明の実施形態に係るバッテリーパック１００は、外部装置２００と締結されれば、自動的にブートされ、外部装置との締結が解除されれば、シャットダウンモードに進入することができる。
【００２７】
より具体的に、本発明のバッテリーパック１００は、外部装置２００とバッテリーパック１００とを繋ぎ合わせる部材であるコネクター１１０及び前記バッテリーパック１００と外部装置２００とが締結されれば、バッテリーパック１００を起動させるブート回路１２０を備えてなってもよい。
【００２８】
一方、前記コネクター１１０は、前記バッテリーパック１００の（＋）出力端と接続される（＋）出力端子１１１、前記外部装置２００とバッテリーパック１００との締結有無を確認する締結確認端子１１２、前記外部装置２００とバッテリーパック１００との間でデータを送受信するデータ送受信端子１１３及びバッテリーパック１００の（−）出力端と接続される（−）出力端子１１４を備えてなってもよい。
【００２９】
一方、前記バッテリーパック１００は、複数のバッテリーセル１３０、前記複数のセル１３０を制御するマイクロコントローラユニット（ＭＣＵ）１４０、前記マイクロコントローラユニット（ＭＣＵ）１４０と前記複数のバッテリーセル１３０との間のインタフェースを制御するアナログフロントエンド（ＡＦＥ）１５０をさらに備えてなってもよい。
【００３０】
一方、前記ブート回路１２０は、前記アナログフロントエンド（ＡＦＥ）１５０と締結確認端子１１２との間に配備され、前記バッテリーパック１００と外部装置２００とが締結されれば、前記バッテリーパック１００の（＋）出力端子の出力が前記外部装置を介して前記締結確認端子１１２に入力されて、シャットダウンされているアナログフロントエンド（ＡＦＥ）１５０をブートさせてもよい。
【００３１】
一方、前記ブート回路１２０は、外部装置２００と接続されるシステム入力端１２１及び前記バッテリーパックの電圧を分配する電圧分配回路を備えてなってもよい。
【００３２】
より具体的に、前記電圧分配回路は、複数の抵抗及び複数の電界効果トランジスター（ＦＥＴ）を備えてなり、前記複数の電界効果トランジスター（ＦＥＴ）は、前記バッテリーパックの（＋）出力端子とグランドとの間に印加される電圧に応じて動作してもよい。
【００３３】
例えば、前記電圧分配回路は、図３のように構成されてもよい。
【００３４】
このように、電圧分配回路が構成されれば、電圧分配回路を構成する抵抗により、アナログフロントエンド（ＡＦＥ）に印加されるブート電圧は、バッテリーパックの出力電圧よりも小さくてもよい。
【００３５】
一方、前記ブート回路１２０は、前記シャットダウンされているアナログフロントエンド（ＡＦＥ）１５０をブートさせた後、前記ブート回路１２０のシステム入力端のステータス情報である締結状態確認情報を前記マイクロコントローラユニット（ＭＣＵ）１４０に伝送して、バッテリーパック１００と外部装置２００との締結有無を報知してもよい。
【００３６】
換言すれば、前記ブート回路１２０は、一回性であって、シャットダウンされているアナログフロントエンド（ＡＦＥ）１５０をブートさせた後には、ブート信号をそれ以上生成せず、マイクロコントローラユニット（ＭＣＵ）１４０に締結状態確認情報のみを伝送してもよい。
【００３７】
一方、マイクロコントローラユニット（ＭＣＵ）１４０に伝送される締結状態確認情報は、連続してまたは所定の周期をもって伝送されてもよく、マイクロコントローラユニット（ＭＣＵ）１４０からのリクエストがあったときに限って伝送されてもよい。
【００３８】
一方、前記アナログフロントエンド（ＡＦＥ）１５０は、２次保護モジュール１５１、ショート感知モジュール１５２、セルの電流、電圧及び温度を測定する電流、電圧及び温度測定モジュール１５３、複数のセルの充電量を均等に調節するセルバランスモジュール１５４、前記マイクロコントローラユニット（ＭＣＵ）１４０と通信するＩ２Ｃ通信モジュール１５５を備えてなってもよい。
【００３９】
一方、前記アナログフロントエンド（ＡＦＥ）１５０は、前記マイクロコントローラユニット（ＭＣＵ）１４０からシャットダウン指令を受信すれば、シャットダウンされてもよい。
【００４０】
一方、前記マイクロコントローラユニット（ＭＣＵ）１４０は、電流、電圧及び温度を制御する電流、電圧及び温度制御モジュール１４１、前記電流、電圧及び温度に基づいて、バッテリーの過充電及び過放電を保護する保護モジュール１４２、バッテリーパックの電界効果トランジスター（ＦＥＴ）を制御する電界効果トランジスター（ＦＥＴ）制御モジュール１４３、前記複数のセルのバランスを制御するバランス制御モジュール１４４を備えてなってもよい。
【００４１】
一方、前記マイクロコントローラユニット（ＭＣＵ）１４０は、前記ブート回路１２０において受信された締結状態確認情報が締結状態であるときには、前記アナログフロントエンド（ＡＦＥ）１５０を介して電源を供給されて動作し、前記ブート回路１２０において受信された締結状態確認情報が締結解放状態であるときには、シャットダウン進入信号を生成して、マイクロコントローラユニット（ＭＣＵ）１４０自分をシャットダウンさせ、シャットダウン信号を前記アナログフロントエンド（ＡＦＥ）１５０に伝送してもよい。
【００４２】
換言すれば、本発明の実施形態に係るバッテリーパック１００が外部装置２００と締結されれば、前記ブート回路１２０においてバッテリーパックの（＋）出力端子の出力電圧を用いてアナログフロントエンド（ＡＦＥ）１５０をブートさせ、ブートされたアナログフロントエンド（ＡＦＥ）１５０は、マイクロコントローラユニット（ＭＣＵ）１４０に動作電圧を印加してマイクロコントローラユニット（ＭＣＵ）１４０を動作させてもよい。
【００４３】
一方、本発明の実施形態に係るバッテリーパック１００が外部装置２００と締結されていてから、締結が解除される場合は、前記ブート回路１２０がマイクロコントローラユニット（ＭＣＵ）１４０に締結解放信号を伝送し、これを受信したマイクロコントローラユニット（ＭＣＵ）１４０は、シャットダウンモードへの進入のための所定のステップを行った後、マイクロコントローラユニット（ＭＣＵ）１４０自分はシャットダウンされ、前記マイクロコントローラユニット（ＭＣＵ）１４０がシャットダウンされる前、またはシャットダウンされると同時に、前記アナログフロントエンド（ＡＦＥ）１５０にシャットダウン信号を伝送してアナログフロントエンド（ＡＦＥ）１５０をシャットダウンさせてもよい。
【００４４】
したがって、本発明の実施形態に係るバッテリーパックを用いれば、バッテリーパック１００が外部装置２００との締結状態ではない場合は、バッテリーパック１００がシャットダウンモードに進入して従来にスリープモードで動作して締結有無を確認する場合に比べて消費電力を減らすことができるので、たとえバッテリーパックを長期に亘って保管するとしても、バッテリーパックが放電されて低電圧になるという問題の発生を抑えることができる。
【００４５】
また、従来には、バッテリーパック１００がシャットダウンされれば、バッテリーパックを自らブートさせなければ、バッテリーパックがブートされないが、本発明の実施形態に係るバッテリーパックは、シャットダウンされていても、外部装置２００が接続されれば、バッテリーパックそれ自体において外部装置の接続を認識してブートされることが可能になる。
【００４６】
一方、本発明の実施形態に係るバッテリーパックは、前記バッテリーパック１００を構成する複数のセルとバッテリーパックの（＋）出力端子との間に配備されたヒューズ１６０をさらに備えていてもよい。
【００４７】
このように、さらに配備されるヒューズ１６０は、前記アナログフロントエンド（ＡＦＥ）１５０の２次保護モジュール及び前記マイクロコントローラユニット（ＭＣＵ）１４０の保護モジュールにおいて過電流を正常に遮断することができない場合であっても、バッテリーパックに流れる過電流を遮断することができて、バッテリーの安定性を確保することができる。
【００４８】
一方、本発明の実施形態に係るバッテリーパックが締結される外部装置２００は、前記バッテリーパックと外部装置とを締結するバッテリー締結部を備えてなってもよく、前記バッテリー締結部は、前記コネクターの（＋）出力端子と締結確認端子との間に電流経路を形成する伝導性部材を備えてなってもよい。
【００４９】
より具体的に、前記伝導性部材は、所定の抵抗値を有し、前記バッテリーパックは、前記所定の抵抗値に基づいて、前記バッテリーパックに接続された外部装置の種類を認識してもよい。
【００５０】
例えば、前記所定の抵抗が１０ＭΩ以上である場合は、外部装置がバッテリーパックを電源として用いる電子装置が接続されたと判断することができ、前記所定の抵抗が１ＭΩ未満である場合は、外部装置が前記バッテリーを充電する充電器が接続されたと判断することができる。
【００５１】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が実施可能であるということが理解できる筈である。
【符号の説明】
【００５２】
１００  バッテリーパック
１１０  コネクター
１１１  （＋）出力端子
１１２  締結確認端子
１１３  データ送受信端子
１１４  （−）出力端子
１２０  ブート回路
１２１  システム入力端
１３０  バッテリーセル
１４０  マイクロコントローラユニット（ＭＣＵ）
１４１  温度制御モジュール
１４２  保護モジュール
１４３  電界効果トランジスター（ＦＥＴ）制御モジュール
１４４  バランス制御モジュール
１５０  アナログフロントエンド（ＡＦＥ）
１５２  ショート感知モジュール
１５３  温度測定モジュール
１５４  セルバランスモジュール
１５５  Ｉ２Ｃ通信モジュール
１６０  ヒューズ
２００  外部装置
【図１】
2020526883.tif 000003
【図２】
2020526883.tif 000004
【図３】
2020526883.tif 000005
【国際調査報告】
2020526883.tif 000006
2020526883.tif 000007
2020526883.tif 000008
2020526883.tif 000009